(57)【要約】【課題】  コンテンツとデータ群とを対応付けて管理する場合でもデータ記録の際には両者の対応関係を任意に変更できる。【解決手段】  記録開始時に、記録対象となる１または複数のプログラムを構成する複数個のＶＯＢ８８が格納される領域７７と領域７７の複数個のＶＯＢ８８を１または複数のプログラムのそれぞれに対応付けて管理するＰＧＣＩ９１を格納する領域７５とを有したＤＶＤ７をアクセスする。記録開始において、記録すべき１つ以上のＶＯＢ８８をいずれのプログラムに対応付けるかの指示を外部から入力する。記録される１つ以上のＶＯＢ８８は、入力指示が示すプログラムに対応付けるようにＰＧＣＩ９１の情報が更新される。【選択図】        図６
2006040319.tif 000002
【特許請求の範囲】
【請求項１】
記録対象となる１または複数のコンテンツを構成する複数個のデータ群が格納されるデータ領域と前記データ領域に格納されている複数個のデータ群を前記１または複数のコンテンツのそれぞれに対応付けて管理する管理情報を格納する管理領域とを有したディスク媒体をアクセスするアクセス手段と、
前記アクセス手段により前記ディスク媒体の前記データ領域に１つ以上の前記データ群を記録するとき、該１つ以上のデータ群を前記１または複数のコンテンツのうちのいずれのコンテンツに対応付けるかの指示を外部から入力する指示入力手段と、
前記アクセス手段により前記データ領域に記録される前記１つ以上のデータ群を、前記指示入力手段による入力指示が示す前記コンテンツに対応付けるように前記管理情報を更新する更新手段とを備え、
前記指示入力手段が入力する指示は、前記データ領域に既に格納されている前記データ群が対応付けられているコンテンツを指示する情報または、前記データ群が対応付けられてない新規のコンテンツを指示する情報を含み、
前記管理情報はビデオレコーディング方式に従う情報であり、
前記管理情報により前記１または複数のデータ群を対応付けることのできる前記コンテンツの総数には上限があり、かつ前記管理情報により前記コンテンツと対応付けることのできる前記データ群の総数は、前記コンテンツの総数よりも多いことを特徴とする、ディスク記録装置。
【請求項２】
記録対象となる１または複数のコンテンツを構成する複数個のデータ群が格納されるデータ領域と前記データ領域に格納されている複数個のデータ群を前記１または複数のコンテンツのそれぞれに対応付けて管理する管理情報を格納する管理領域とを有したディスク媒体をアクセスするアクセス手段と、
前記アクセス手段により前記ディスク媒体の前記データ領域に１つ以上の前記データ群を記録するとき、該１つ以上のデータ群を前記１または複数のコンテンツのうちのいずれのコンテンツに対応付けるかの指示を外部から入力する指示入力手段と、
前記アクセス手段により前記データ領域に記録される前記１つ以上のデータ群を、前記指示入力手段による入力指示が示す前記コンテンツに対応付けるように前記管理情報を更新する更新手段とを備える、ディスク記録装置。
【請求項３】
前記指示入力手段が入力する指示は、前記データ領域に既に格納されている前記データ群が対応付けられているコンテンツを指示する情報または、前記データ群が対応付けられてない新規のコンテンツを指示する情報を含む、請求項２に記載のディスク記録装置。
【請求項４】
前記管理情報はビデオレコーディング方式に従う情報であることを特徴とする、請求項２または３に記載のディスク記録装置。
【請求項５】
前記管理情報により前記１または複数のデータ群を対応付けることのできる前記コンテンツの総数には上限があることを特徴とする、請求項２から４のいずれか１項に記載のディスク記録装置。
【請求項６】
前記管理情報により前記１または複数のコンテンツと対応付けることのできる前記データ群の総数は、前記コンテンツの総数よりも多いことを特徴とする、請求項５に記載のディスク記録装置。
【発明の詳細な説明】
【技術分野】
【０００１】
この発明は、ディスク記録装置に関し、特にデータの記録領域とデータを管理する情報を記録する領域とを有するディスク媒体にデータを記録するディスク記録装置に関する。
【０００２】
この発明が適用されるディスク記録装置としては、装置に着脱自在で録画再生可能なＤＶＤ（digital Versatile Disc）などの媒体を取扱うディスクドライブが備えられているものとする。
【背景技術】
【０００３】
従来、光ディスクのような記録メディアに映像データを記録する場合には、所定の記録領域に映像データが記録され、他の領域において記録された映像データを管理する情報が記録される。記録された映像データの削除、挿入、順序の入替えなどを記録された管理情報を編集することで実現する機能に優れるフォーマットとしてＶＲ（video recording）フォーマットが提供されている。ＶＲフォーマットに従いデータが記録されるＤＶＤをＶＲ−ＤＶＤという。
【０００４】
図６には、従来および本発明の実施の形態に適用されるＶＲ−ＤＶＤ７の管理情報と記録または再生の対象となるコンテンツとしての映像データとの関係が示される。図６を参照してＶＲ−ＤＶＤ７はファイルシステムデータ８３を格納するための領域７３、ＰＧＣＩ（Program Chain Information）９１とプレイリスト情報９２を有する管理情報８５を格納するための領域７５および録画の対象であるコンテンツとしての映像データ８７を格納するための領域７７を有する。領域７７の映像データ８７はＶＲ−ＤＶＤ７上でファイル単位で管理されるように、ファイルシステムデータ８３はファイル単位の管理情報を示す。
【０００５】
映像データ８７の各ファイルは、１つまたは複数の映像データストリームで構成される。各映像データストリームは、たとえば１回の録画処理により記録される時間的に連続しているデータである。これは、たとえばＤＶＤレコーディング規格におけるＶＯＢ（video object）８８などに相当する。プレイリスト情報９２は、再生順序を管理する情報のみで構成される。たとえばプレイリスト情報９２は、それ自身は映像データ８７を持たず、後述する各プログラム毎のＣＩＳＰ（cell information search pointer）（＃ｊ）９７ｊ（ｊ＝１、２、３、…、ｎ：但しｎ＝最大９９９）を編集（削除、追加）することでプレイリスト情報９２が作成される。
【０００６】
ＰＧＣＩ９１はＰＧＣ−ＧＩ（program chain−general information）９３、ＰＧＩ（program information）（♯ｉ）９５ｉ（ｉ＝１、２、３、…、ｍ：但しｍ＝最大９９）、ＣＩＳＰ（♯ｊ）９７ｊおよびＣＩ（cell information）９９ｊ（♯ｊ）（ｊ＝１、２、３、…、ｎ：但しｎ＝最大９９９）を含む。
【０００７】
ＰＧＣＩ９１は領域７５において連続した部分領域に書込まれている。ＰＧＩ（♯ｉ）９５ｉは領域７７に格納されている映像データ８７のプログラムのそれぞれに対応する。プログラムは映像データ８７の群からなるコンテンツであって、ＶＯＢ８８を１個または複数個含んで構成される。各ＰＧＩ（♯ｉ）９５ｉは対応のプログラムの名称のデータと、該プログラムがいくつのＶＯＢ８８を有するかを示すデータを有する。ＣＩ（♯ｊ）９９ｊは領域７７における各ＶＯＢ８８に対応しており、対応のＶＯＢ８８を指定する情報、および特殊再生や時間サーチを実現するために準備された情報を有する。ＣＩＳＰ（♯ｊ）９７ｊはＣＩ（＃ｊ）９９ｊに１対１で対応しており、対応のＣＩ（♯ｊ）９９ｊをＰＧＣＩ９１においてサーチするためのポインタ情報である。したがって、ＣＩＳＰ（♯ｊ）９７ｊを用いて、対応のＣＩ（♯ｊ）９９ｊを検索することができる。
【０００８】
ここで、ＰＧＣＩ９１において管理することができるプログラムの最大個数は９９個すなわちＰＧＩ（♯ｉ）９５ｉは最大９９個であり、そしてＣＩ（♯ｊ）９９ｊは最大９９９個を管理することができる。すなわち、領域７７において最大９９９個のＶＯＢ８８を記録することができる。
【０００９】
このようなＰＧＣＩ９１を用いた映像データ８７の管理の方法は特許文献１−３に開示されている。
【特許文献１】特開２００３−２４４６１３号公報
【特許文献２】特開２００３−８７７４０号公報
【特許文献３】特開平１１−２２５３０７号公報
【発明の開示】
【発明が解決しようとする課題】
【００１０】
従来は、ＰＧＣＩ９１を用いて領域７７に記録される映像データ８７を管理していたが、このようなＶＲ方式で録画を行なった場合、その録画回数分、すなわち録画の開始と停止の操作を繰返した回数分ＶＯＢ８８が生成されて領域８８に記録され、それに伴いＣＩ（♯ｊ）９９ｊも増加し、かつＰＧＩ（♯ｉ）９５ｉも増加する。
【００１１】
しかしながら、管理可能なＰＧＩ（♯ｉ）９５ｉの最大個数は９９個であるのに対し、ＣＩ（♯ｊ）９９ｊの管理可能な個数（すなわち管理可能なＶＯＢ８８の個数）は最大９９９個であるから、ＰＧＩ（♯ｉ）９５ｉの数が９９個に達しているのにもかかわらず、領域７７に記録されているＶＯＢ８８の数は９９９個以下であり、領域７７において映像データ８７をＶＯＢ８８単位で記録することが可能な状況が発生する。このような状況においては、ＰＧＩ（♯ｉ）９５ｉの９９個の制限がネックとなって、領域７７において空き領域があっても録画ができなくなるという不都合が生じた。
【００１２】
上述した特許文献１−３においては、このような不都合を回避するための有効な提案はなされていなかった。
【００１３】
また、従来は録画の開始と停止の操作を繰返すごとに、１プログラムずつ生成されてしまうので、ユーザにとってはプログラムの管理が煩雑となる。
【００１４】
それゆえにこの発明の目的は、データ群を記録する際に、記録すべきデータ群と該データ群から構成されるコンテンツとの間の対応関係を任意に変更することができるディスク記録装置を提供することである。
【課題を解決するための手段】
【００１５】
この発明のある局面に従うディスク記録装置は、
記録対象となる１または複数のコンテンツを構成する複数個のデータ群が格納されるデータ領域と前記データ領域に格納されている複数個のデータ群を前記１または複数のコンテンツのそれぞれに対応付けて管理する管理情報を格納する管理領域とを有したディスク媒体をアクセスするアクセス手段と、
前記アクセス手段により前記ディスク媒体の前記データ領域に１つ以上の前記データ群を記録するとき、該１つ以上のデータ群を前記１または複数のコンテンツのうちのいずれのコンテンツに対応付けるかの指示を外部から入力する指示入力手段と、
前記アクセス手段により前記データ領域に記録される前記１つ以上のデータ群を、前記指示入力手段による入力指示が示す前記コンテンツに対応付けるように前記管理情報を更新する更新手段とを備える。
【００１６】
したがって、管理情報を用いてコンテンツとデータ群との対応付けが管理される場合において、データ群を記録する際に、ユーザは外部からいずれか所望のコンテンツを指示する入力を予めしておけば、記録しようとするデータ群を対応付けて管理するためのコンテンツを所望するコンテンツに設定することができる。
【００１７】
好ましくは、指示入力手段が入力する指示は、前記データ領域に既に格納されている前記データ群が対応付けられているコンテンツを指示する情報または、前記データ群が対応付けられてない新規のコンテンツを指示する情報を含む。
【００１８】
したがって、上述の所望するコンテンツとして、すでに記録済みのデータ群が対応付けられている既存のコンテンツを指示することもできるし、全く新規のコンテンツを指示することもできる。
【００１９】
好ましくは、管理情報はビデオレコーディング方式に従う情報である。
【００２０】
好ましくは、管理情報により前記１または複数のデータ群を対応付けることのできる前記コンテンツの総数には上限がある。
【００２１】
したがって、上述のように既存のコンテンツを指示すると、管理情報で管理するコンテンツ数は増加しないから、上述の総数の上限に抵触するのを回避できる。
【００２２】
好ましくは、管理情報により前記１または複数のコンテンツと対応付けることのできる前記データ群の総数は、前記コンテンツの総数よりも多い。
【００２３】
したがって、上述のように既存のコンテンツを指示することで1個のコンテンツに多数のデータ群を対応付けることができるから、コンテンツ総数の上限に抵触することに起因して管理情報を用いた管理が不可能となる状況を回避できる。
【発明の効果】
【００２４】
本発明によれば、管理情報を用いてコンテンツとデータ群との対応付けが管理される場合において、データ群を記録する際に、ユーザは外部からいずれか所望のコンテンツを指示する入力を予めしておけば、記録しようとするデータ群を対応付けて管理するためのコンテンツを所望するコンテンツに設定することができる。
【発明を実施するための最良の形態】
【００２５】
以下、この発明の実施の形態について図面を参照し説明する。本実施の形態では、録画時にＰＧＣＩ９１を更新する手順が改良される。なお、ここでは説明を簡単にするためにＤＶＤ７の領域７７に記録されるデータは映像データ８７としているが、これに限定されず、音声データ、文字データなどの他の種類のデータが含まれてもよい。
【００２６】
図１は、この発明の実施の形態に係るＤＶＤ記録再生装置のブロック構成図である。図１を参照しＤＶＤ記録再生装置は、該装置の各部を集中的に制御および監視するためのＣＰＵからなる制御部３、ＨＤＤ（Hard Disk drive）５、ＨＤＤ５およびＶＲフォーマットに従いデータが記録されるＤＶＤ７のアクセスを制御するためのディスク制御部９、デジタルＴＶ放送などの信号を受信するためのアンテナ１１、アンテナ１１から出力される放送信号について所望チャネルの信号を抽出するためのＴＶチューナ１３、図示されない外部装置からのオーディオ信号またはビデオ信号などを入力するためのＡ／Ｖ入力部１５、エンコード部１７、デコード部１９、出力部２１、ユーザが外部操作して各種情報や指示を入力するための複数のキーを含むキー入力部２３、各種情報を表示するための表示部２５、制御部３のＣＰＵによりアクセスされるデータやプログラムを格納するＲＯＭ（Read Only Memory）３４およびＲＡＭ（Random Access Memory）３５、およびこれら各部間を接続するための高速のデータバス３１を含む。
【００２７】
ディスク制御部９にはＤＶＤ７が着脱自在に装着されてディスク制御部９は装着されたＤＶＤ７をアクセスしてデータの読み書きを行う。
【００２８】
ＨＤＤ５またはＤＶＤ７にデータを記録するとき、たとえばＴＶ放送による番組のデータまたはＡ／Ｖ（audio／visual）入力部１５を介して入力した信号のデータを記録するとき、アンテナ１１とＴＶチューナ１３を介して入力した所望番組の信号またはＡ／Ｖ入力部１５を介して入力した映像信号は、エンコード部１７によりたとえばＭＰＥＧ（Motion Picture Experts Group）に従いコード化されて、データとしてディスク制御部９に与えられるので、ディスク制御部９は制御部３の制御の下にＨＤＤ５またはＤＶＤ７に該データを記録する。
【００２９】
ＨＤＤ５またはＤＶＤ７からデータを再生する時には、ディスク制御部９は制御部３の制御の下に、ＨＤＤ５またはＤＶＤ７から指定されたプログラムのデータを読出し、デコード部１９に与える。デコード部１９においては与えられたデータをＭＰＥＧに従いデコード処理し、処理結果得られた信号は出力部２１を介して図示されないＴＶ受像機などに出力されて、ここに該信号に従う映像が表示されたり、音声出力されたりする。
【００３０】
次に、図１のＤＶＤ記録再生装置における映像データ８７を録画時のＰＧＣＩ９１の更新に係る動作について説明する。今、ＤＶＤ７の領域７５のＰＧＣＩ９１が図２（Ａ）に示されるような状態であったとする。図２（Ａ）に示すようにＰＧＣ−ＧＩ９３は管理するプログラム個数を示すデータＰＧＮを含み、ＰＧＩ（＃ｉ）９５ｉは対応のプログラムの名称を示すデータＰＮと対応のプログラムのＣＩＳＰ（♯ｊ）９７ｊの個数を示すデータＣＮを含む。
【００３１】
図２（Ａ）のＰＧＣＩ９１においてＰＧＣ−ＧＩ９３はＰＧＣＩ９１で管理されるプログラムの個数のデータＰＧＮが“３”を示すので、領域７７に映像データ８７として記録されている３個のプログラムを管理していることがわかる。ＰＧＣＩ９１はデータＰＧＮが示す３個のプログラムのそれぞれに対応してＰＧＩ（♯１）９５１、ＰＧＩ（♯２）９５２およびＰＧＩ（♯３）９５３を含む。ＰＧＩ（♯１）９５１は対応のプログラムの名称のデータＰＮが“ＴＥＳＴ１”であることを示し、同様にＰＧＩ（♯２）９５２のプログラムの名称のデータＰＮは“ＴＥＳＴ２”であることを示し、同様にＰＧＩ（♯３）９５３のプログラムの名称のデータＰＮは“ＴＥＳＴ３”であることを示す。また、ＰＧＩ（♯１）〜ＰＧＩ（♯３）９５１〜９５３のそれぞれは、データＣＮは“１”を示している。したがって、図２（Ａ）のＰＧＣＩ９１ではＣＩＳＰ（♯ｊ）として３個のＣＩＳＰ（♯１）９７１〜ＣＩＳＰ（♯３）９７３が格納されており、ＣＩＳＰ（♯１）９７１によりＣＩ（♯１）９９１が参照され、ＣＩＳＰ（♯２）９７２によりＣＩ（♯２）９９２が参照され、ＣＩＳＰ（♯３）９７３によりＣＩ（♯３）９９３が参照される。
【００３２】
図２（Ａ）のＰＧＣＩ９１のプログラム管理情報と映像データ８７中のＶＯＢ８８との関連付けが図３（Ａ）に示される。図３（Ａ）ではＣＩ（♯１）９９１によりＶＯＢ（♯１）８８が、ＣＩ（♯２）９９２によりＶＯＢ（♯２）８８が、ＣＩ（♯３）９９３によりＶＯＢ（♯３）８８がそれぞれ１対１で対応付けられていることが示される。
【００３３】
上述した図２（Ａ）と図３（Ａ）の記録状態において、録画の開始とその後の終了の操作を行なうと、領域７７の映像データ８７として１つのＶＯＢ８８が追加して登録される。ここでは、この追加して登録されるＶＯＢ８８をＶＯＢ（♯４）８８とする。
【００３４】
従来と同様に、この追加されたＶＯＢ（♯４）８８を新たな１つのプログラムとして管理する場合には、図２（Ｂ）に示されるように、ＰＧＣＩ９１において、次のようなデータ更新がなされる。つまり、ＰＧＣ−ＧＩ９３のプログラム数のデータＰＧＮは元の“３”から１個のプログラムが増加されたことを示すように“４”に更新される。データＰＧＮが“４”に更新されたことに伴い、ＰＧＩ（♯３）９５３とＣＩＳＰ（♯１）９７１との間に新たなプログラムのためのＰＧＩ（♯４）９５４が追加される。追加されたＰＧＩ（♯４）９５４はプログラムの名称のデータＰＮが“ＴＥＳＴ４”を示し、データＣＮは“１”を示す。
【００３５】
また、新たに追加されたＶＯＢ（♯４）８８のために、ＣＩＳＰ（♯３）９７３とＣＩ（♯１）９９１との間にＣＩＳＰ（♯４）９７４が追加されるとともにＣＩ（♯３）９９３の直後にＣＩ（♯４）９９４が追加される。追加されたＣＩＳＰ（♯４）９７４は追加されたＣＩ（♯４）９９４を指示するポインタなのでＣＩＳＰ（♯４）９７４を用いてＣＩ（♯４）９９４を参照することができる。このように、１回の録画開始と終了の操作によって追加されたＶＯＢ（♯４）については、通常は新たなプログラム（“ＴＥＳＴ４”）が割当てられて、管理するプログラム数は１つ増加する。この様子が図３（Ｂ）でも示される。
【００３６】
これに対して、追加されたＶＯＢ（♯４）８８を、既存のプログラムのＶＯＢとして対応付けるようにすることで、プログラム数の増加を抑えることができる。これを図２（Ｃ）と図３（Ｃ）を参照し説明する。
【００３７】
図２（Ａ）の状態においてＶＯＢ（♯４）が録画されたとする。このとき、既存のプログラム、たとえばプログラム“ＴＥＳＴ２”への追加が予め設定されていたとする。この場合、録画終了時に、ＶＯＢ（♯４）８８が新たに追加録画されているにもかかわらず、ＰＧＣＩ９１は図２（Ｃ）のように更新される。つまりＰＧＣ−ＧＩ９３のプログラム数のデータＰＧＮは“３”のままで不変である。また、ＰＧＩ（♯１）９５１〜ＰＧＩ（♯３）９５３のプログラム名称のデータＰＮにも変更はない。変更されるのは、ＶＯＢ（♯４）の挿入が設定されたプログラム“ＴＥＳＴ２”のＰＧＩ（♯２）９５２のデータＣＮの値である。このデータＣＮは元の“１”からＶＯＢ（♯４）が追加されたことにより“２”に更新される。さて、ここでＰＧＩ（♯１）９５１〜ＰＧＩ（♯３）９５３とＣＩＳＰ（♯ｊ）との関連付けは次のように更新される。
【００３８】
図２（Ａ）では、ＰＧＩ（♯１）９５１のデータＣＮは“１”を示すので１個のＣＩＳＰ（♯１）９７１が関連付けられて、同様にＰＧＩ（♯２）９５２のデータＣＮも“１”を示すので次のＣＩＳＰ（♯２）９７２が関連付けられて、ＰＧＩ（♯３）９５３のデータＣＮは“１”を示すので、さらに次の１個のＣＩＳＰ（♯３）９７３が関連付けられる。これに対し、録画終了後の図２（Ｃ）においては、ＰＧＩ（♯１）９５１は図２（Ａ）と同様に１個目のＣＩＳＰ（♯１）９７１が関連付けられているが、次のＰＧＩ（♯２）９５２は、前述したようにデータＣＮが“２”を示すように更新されたので、次の２個のＣＩＳＰ（３ｊ）９７ｊであるＣＩＳＰ（♯２）９７２とＣＩＳＰ（♯３）９７３とが関連付けられる。したがって、ＰＧＩ（♯３）９５３はさらに次のＣＩＳＰ（♯４）９７４が関連付けられる。
【００３９】
図２（Ｃ）において、ＣＩＳＰ（♯１）９７１は１個目のＣＩ（♯１）９９１を指示し、ＣＩＳＰ（♯２）は図２（Ａ）と同様に２個目のＣＩ（♯２）９９２を指示し、ＣＩＳＰ（♯３）９７３は追加されたＶＯＢ（♯４）のためのＣＩ（♯４）９９４を指示するように書換えられる。また、ＰＧＩ（♯３）９５３に関連付けられるＣＩＳＰ（♯４）９７４は、元のＣＩ（♯３）９９３を指示するようにポインタ値が書換えられる。
【００４０】
図２（Ｃ）の状態を図３（Ｃ）を参照し説明する。図３（Ｃ）で示されるように、１個目のプログラム“ＴＥＳＴ１”はＰＧＩ（♯１）９５１、ＣＩ（♯１）９９１およびＶＯＢ（♯１）８８の関連付けとなる。プログラム名“ＴＥＳＴ２”のＰＧＩ（♯２）９５２はＣＩ（♯２）９９２とＣＩ（♯３）９９３との関連付けになり、ＣＩ（♯２）９９２はＶＯＢ（♯２）８８に対応付けられ、ＣＩ（♯３）９９３は新たに追加されたＶＯＢ（♯４）８８に対応付けられる。プログラム名“ＴＥＳＴ３”はＰＧＩ（♯３）９５３とＣＩ（♯４）９９４と元のＶＯＢ（♯３）８８の対応付けとなる。
【００４１】
このように、図２（Ｂ）と図３（Ｂ）の場合には、１回の録画開始と停止の操作により、新たなプログラム“ＴＥＳＴ４”が生成されることになるけれども、図２（Ｃ）と図３（Ｃ）のプログラムへの挿入を設定した場合には、プログラム数のデータＰＧＮが示すプログラムの個数の追加はなされないで、今回の録画開始と停止の操作によって追加されたＶＯＢ（♯４）８８を、指定されている既存のプログラム“ＴＥＳＴ２”を構成するＶＯＢ８８として新たに登録することができる。
【００４２】
次に図４と図５のフローチャートを参照して、本実施の形態に係る管理情報の更新を伴う録画の手順について説明する。
【００４３】
まず、ユーザがキー入力部２３を介して録画開始を指示すると、アンテナ１１およびＴＶチューナ１３を介して受信するＴＶ放送信号による映像データのＤＶＤ７に対する録画を開始する記録モードに移行する。その前に、ＰＧＣＩアクセス部３７はディスク制御部９を介してＤＶＤ７の所定領域に格納されているＰＧＣＩ９１を読出し、ＲＡＭ３５に格納する（ステップＳ（以下、単にＳと略す）１）。
【００４４】
その後ユーザはキー入力部２３を介して、録画する映像データを新たなプログラムとして格納するか、既存のプログラム中に挿入（追加）して格納するかの指示を入力する（Ｓ３）。制御部３は、キー入力部２３から入力された指示に基づき、今回の録画が既存のプログラムへのデータの挿入によってなされる録画であるか、それとも新たなプログラムを生成する録画であるかを判定する（Ｓ７）。既存のプログラムへの挿入ではないことを判定すると（Ｓ７でＮＯ）、すなわち従来と同様に、新たなプログラムを生成して生成された新たなプログラムとして映像データを記録するとした場合には、図４の処理を終了して、従来と同様の手順（公知の手順）で映像データの領域７７にＶＯＢ８８単位で記録される。この録画の手順は、従来から知られている手順に従うので、説明は略す。
【００４５】
一方、録画する映像データ８７を既存のプログラムの映像データとして挿入するということが指示されたと判定した場合には（Ｓ７でＹＥＳ）、ユーザによって挿入先のプログラム名の選択がキー入力部２３を操作してなされるので、選択されたプログラム名を入力する（Ｓ１１）。つまりＰＧＣＩアクセス部３７はＲＡＭ３５に読出されているＰＧＣＩ９１のＰＧＩ（♯ｉ）９５ｉを参照する。参照した各ＰＧＩ（♯ｉ）９５ｉのプログラムの名称のデータＰＮを読出し、表示部２５に一覧表示する。ユーザは表示部２５に一覧表示されたプログラム名を確認して所望するプログラム名、たとえば“ＴＥＳＴ２”をキー入力部２３を介して選択する。制御部３は、選択されたプログラム名“ＴＥＳＴ２”を入力して、一旦ＲＡＭ３５などに格納しておく。
【００４６】
その後、従来と同様の手順（公知の手順）に従い、映像データ８７はＤＶＤ７の領域７７に記録される。
【００４７】
映像データ８７の録画の終了を制御部３が検知すると、たとえばキー入力部２３により録画の停止（中断）のキー操作がなされた、またはアンテナ１１を介してＴＶチューナ１３から入力されている映像信号の終了コードをエンコード部１７を介して検知すると、図５の処理を開始する。
【００４８】
まず、制御部３は、録画の終了を検知したことに応じて、ＲＡＭ３５において、ユーザが挿入先として選択のプログラム名のデータが格納されているか否かに基づきプログラム挿入が設定済みか否かを判定する（Ｓ１５）。設定済みでないと判定すると（Ｓ１５でＮＯ）、前述したように、図２（Ａ）の状態が図２（Ｂ）の状態となるようにＰＧＣＩ更新部３９によりＲＡＭ３５に格納されているＰＧＣＩ９１が更新（書換え）される（Ｓ１７）。これにより、今回の録画データは新たなプログラム“ＴＥＳＴ４”として格納される。
【００４９】
なお、この新たなプログラム名“ＴＥＳＴ４”はユーザがキー入力部２３を介して入力したものであってもよいし、アンテナ１１およびＴＶチューナ１３を介して入力した該番組データのためのＥＰＧ（Electric program guide）情報から取得して特定するようにしてもよい。
【００５０】
その後、ＰＧＣＩアクセス部３７は、ステップＳ１７で更新された図２（Ｂ）の状態のＰＧＣＩ９１を読出して、ディスク制御部９を介しＤＶＤ７の所定領域に格納する（Ｓ２１）。
【００５１】
一方、制御部３はＲＡＭ３５に挿入先とされているプログラム名が設定済みであると判定すると（Ｓ１５でＹＥＳ）、ＰＧＣＩ更新部３９は、新規のプログラムを作らず、ＲＡＭ３５に格納されているユーザ選択の挿入先のプログラム名、たとえば“ＴＥＳＴ２”のプログラムに、今回録画された映像データ８７のＶＯＢ８８が対応付けられるようにする。つまり、図２（Ａ）の状態のＲＡＭ３５のＰＧＣＩ９１を図２（Ｃ）のように書換えて更新する（Ｓ１９）。更新された図２（Ｃ）のＰＧＣＩ９１はＰＧＣＩ更新部３９によりＲＡＭ３５から読出されてディスク制御部９を介しＤＶＤ７の所定記憶領域に格納される。
【００５２】
図４のステップＳ１の録画開始の指示は図５の録画終了を録画一時停止と見なした場合は、録画一時停止後の録画再開の指示に相当するから、録画中のキー入力部２３を介した録画一時停止／録画再開の指示が入力された場合でも、図４と図５の手順を適用できる。
【００５３】
このように録画時は録画データ８７を既存のプログラムの録画データとして該プログラムに挿入するようにして管理するか、それとも新たなプログラムとして作成して管理するかを、ユーザが選択的に指定できる。したがってユーザはＤＶＤ７に記録のプログラムの管理が容易となる。またプログラム数がＰＧＣＩ９１を用いて管理することの可能な上限値を超えてしまうために領域７７に空き領域があるのに録画できないという不都合を回避することができる。
【００５４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５５】
【図１】この発明の実施の形態に係るＤＶＤ記録再生装置の構成図である。
【図２】（Ａ）〜（Ｃ）は本実施の形態に係るＰＧＣＩ９１の更新の手順を説明する図である。
【図３】（Ａ）〜（Ｃ）は図２（Ａ）〜（Ｃ）の説明において参照される図である。
【図４】この発明の実施の形態に係る録画開始前の設定処理のフローチャートである。
【図５】この発明の実施の形態に係る録画終了時の処理フローチャートである。
【図６】この発明の実施の形態および従来技術の説明に適用されるＤＶＤの管理情報と映像データの関係を説明する図である。
【符号の説明】
【００５６】
３  制御部、７  ＤＶＤ、３７  ＰＧＣＩアクセス部、３８  タイトル選択部、３９  ＰＧＣＩ更新部、８７  映像データ、８８  ＶＯＢ、９１  ＰＧＣＩ、ＰＧＮ  プログラム個数データ、ＰＮ  プログラム名称データ、ＣＮ  個数データ。
【図１】
2006040319.tif 000003
【図２】
2006040319.tif 000004
【図３】
2006040319.tif 000005
【図４】
2006040319.tif 000006
【図５】
2006040319.tif 000007
【図６】
2006040319.tif 000008